(57)【要約】ドア錠内のハンドル操作制御用電磁装置であって、力が、電磁装置によって案内される可動接続部材６を介して、ハンドル等の操作軸３から、錠の舌１２に作用する従動部材４へ伝達される。該電磁装置は軸部材９を含み、該軸部材が、ソレノイド７によりばね８の力に抗して移動せしめられ、かつ前記接続部材６の操作位置を選択する旋回可能なレバー部材１０を移動させる。接続部材６に対する前記レバー部材１０の旋回軸の位置を選択的に変更することで、所望のハンドル操作が可能になる。
2004517238.tif 000002
【特許請求の範囲】
【請求項１】
ドア錠のハンドル操作を制御する電磁装置であって、ハンドル等の操作軸（３）から、錠の舌（１２）に作用する従動部材（４）への力の伝達が、電磁装置により案内される可動接続部材（６）を介して行われる形式のものにおいて、
前記電磁装置が軸部材（９）を含み、該軸部材が、ソレノイド（７）によってばね（８）の力に抗して運動せしめられるように構成され、かつ前記接続部材（６）の操作位置を選択する旋回可能なレバー部材（１０）を移動させ、更に、接続部材（６）に対する前記レバー部材（１０）の旋回軸の位置が、選択的に変更されることで、所望のハンドル操作が得られることを特徴とする、ドア錠のハンドル操作を制御する電磁装置。
【請求項２】
前記レバー部材（１０）が、レバー部材の旋回軸の位置を軸部材（９）の一方の側から他方の側へ変更できるように、軸部材（９）に対し支持されており、それによって、軸部材（９）の一定の運動が、接続部材（６）に対し異なる方向にレバー部材（１０）のヘッドを旋回させることを特徴とする、請求項１に記載された電磁装置。
【請求項３】
レバー部材（１０）の旋回軸が前記操作軸（３）と平行であることを特徴とする、請求項１又は請求項２に記載された電磁装置。
【請求項４】
前記電磁装置が、ドア錠の錠ケース（１）の外側に取付けられた選択部材（１１）を含み、該選択部材が、錠ケース（１）内へ挿入可能な軸部（１１ａ）を含むことで、該軸部が、レバー部材（１０）と協働し、それぞれの場合に、レバー部材の旋回軸として役立つことを特徴とする、請求項１から請求項３までのいずれか１項に記載された電磁装置。
【請求項５】
前記レバー部材が、前記軸部（１１ａ）用の２つのスリーブ状部（１０ａ，１０ｂ）を含み、また該スリーブ状部の一方（１０ｂ）が、接続部材（６）とは反対側のレバー部材端部に設けられていることを特徴とする、請求項４に記載された電磁装置。
【請求項６】
前記レバー部材（１０）の旋回軸の位置変更が、前記選択部材（１１）の位置又は設定の変更によって行われることを特徴とする、請求項４又は請求項５に記載された電磁装置。
【請求項７】
前記選択部材（１１）が、ねじ（１３）又は類似部材によって錠ケース（１）に固定可能であることを特徴とする、請求項４から請求項６までのいずれか１項に記載された電磁装置。
【請求項８】
前記接続部材（６）に近いレバー部材（１０）端部が、接続部材（６）を引付ける磁石（１４）を備えていることを特徴とする、請求項１から請求項７までのいずれか１項に記載された電磁装置。
【発明の詳細な説明】
【０００１】
本発明は、請求項１の前文に記載された、ドア錠のハンドル操作を制御する電磁装置、それも、ハンドル等の操作軸から、錠の舌に作用する従動部材への力の伝達が、電磁装置により案内される可動接続部材を介して行われる形式のものに関する。
【０００２】
電磁装置によるドア錠のハンドル操作制御は、使用事例に応じて種々異なる形式で達成できる。電磁装置により、例えば、ソレノイドの励起時に、ハンドル操作で当然、通過可能にでき、したがって、ハンドルから舌への力の伝達が接続される。あるいはまた、この解決策を逆にして、ソレノイドの脱励起時に、ハンドル操作により通過可能にすることも当然できる。電磁装置の操作形式は、確実に通行できるか、施錠された空間から確実に出られるか、確実に空間自体に施錠できるかのいずれを強調するかに応じて決められる。実際には、電磁装置は、通常、常にドアの外側から鍵で操作される錠機構等により開かれ、内側からは、ハンドルや回動ノブ等によって開かれるが、その場合、ハンドル操作の選択的接続には、同時に２部材構成の又は分割式の操作軸が利用される。
【０００３】
前述の電磁装置に関わる実際上の１つの問題は、ドア錠には、２つの別個の型の錠ケースが、つまり各操作形式に１つの錠ケースが必要な点である。
本発明の目的は、錠ケースに内設される同じ基本部品が、前記双方の操作形式に利用でき、かつ該操作形式が、錠ケース自体を開くことなしに外側から簡単に選択できる類の新規な解決策を得ることにある。別の目的は、電磁装置が、製造技術の点で有利かつ操作の面で確実にされ、錠ケース内にあまり大きい空間を必要としないようにすることである。
【０００４】
本発明の以上の目的は、請求項１及び他の請求項に精密に記載されているように達成された。本発明によれば、電磁装置は軸部材を含み、該軸部材が、ソレノイドによってばね力に抗して動くように構成され、かつ前記接続部材の操作位置を選択する旋回可能なレバー部材を移動させる。加えて、接続部材に対する前記レバー部材の旋回軸の位置を選択的に変更可能に構成することで、所望のハンドル操作が可能になる。この解決策は、したがって、使用されるレバー部材の旋回軸が、異なる位置に存在可能で、その位置が、必要時に容易に変更できることに、主として基づいている。
【０００５】
実際の好ましい実施例では、レバー部材は軸部材に対し支持されることで、レバー部材の旋回軸位置が、軸部材の一方の側から他方の側へ変更でき、これにより、軸部材の一定の運動によって、レバー部材のヘッドが、接続部材に対し異なる方向に旋回せしめられる。
コンパクトな電磁装置を得るには、レバー部材の旋回軸を前記操作軸と平行にすればよい。その場合、電磁装置は、好ましくはドア錠の錠ケース外側に取付けられる選択部材を含み、該選択部材が、錠ケース内へ挿入可能な軸部を含むことで、レバー部材と協働し、それぞれの場合にレバー部材の旋回軸として役立つようにする。
【０００６】
空間と確実性を活用する観点から有利な解決策は、レバー部材が、前記軸部用の２つのスリーブ状部を含み、該スリーブ状部の１つが、接続部材とは反対側のレバー部材端部に配置されることで実現される。
レバー部材の旋回軸の位置は、選択部材の位置又は設定を変更することで簡単に変更できる。所望の操作形式を選択した後、選択部材は、ねじ等で錠ケースに固定するのが好ましい。
本発明の一実施例では、接続部材側のレバー部材端部が、接続部材を引付けるための磁石を備えている。
【０００７】
以下で、本発明の実施例を添付図面につき説明する。
図面には、符号１で、カバーを有するドア錠の錠ケースが示されている。図面では、カバーが、部分的に開かれた状態で示されている。錠ケース１は、正面プレート２を備え、錠の舌１２が該正面プレートを貫通して可動である。錠ケース１には、加えて操作軸３が備えられ、該操作軸には従動部材４が取付けられ、該従動部材が、錠ケースに旋回可能に軸支承され、図示の実施例では、別個の力伝達レバー５を介して錠の舌に作用する。いうまでもなく、所望とあれば、従動部材は、直接に錠の舌を動かすように構成することもできる。
【０００８】
実際には、従動部材４には、錠の両側から作用するようにすることもできる。鍵で操作される錠機構又は類似機構であって、直接に従動部材４に作用するトーションアーム又は相応の力伝達部材（図示せず）を備えている形式のものは、自体公知の形式で錠ケースの一方の側に操作軸３を介して取付けられる。あるいはまた、状況に応じて、ハンドル又は類似部材のスピンドルを、従動部材４まで延在させて、直接に従動部材４に作用するように構成することもできる。それにより、ドアは、常に一方の側から開くことができる。錠ケースの他方の側には、ハンドル、回動ノブ、その他類似部材のいずれかが、操作軸３に取付けられ、該操作軸のスピンドル（図示せず）は、錠機構の前記力伝達部材又は前記別のハンドルに独立して設けられることで、相応にハンドル操作を独立的に制御できる。ハンドル操作で得られる力は、接続部材６を介して伝達される。接続部材６は、２つの選択可能な操作位置を有している。すなわち、ハンドルで錠の舌を移動させ得る力伝達接続位置と、相応にハンドルで錠の舌が影響されない力伝達非接続位置とである。
【０００９】
ハンドル操作の制御は、ソレノイド７を含む本発明による装置により行われる。ソレノイド７は、ばね８に力に抗して軸部材９を移動させる。軸部材９にはレバー部材１０が配置され、該レバー部材が接続部材６に作用することで、接続部材６が力の伝達の接続位置又は非接続位置を選択することができる。
レバー部材１０はスリーブ状部１０ａ，１０ｂを備え、該スリーブ状部が、軸部材９の両側に位置している。前記装置は、またねじ１３により錠ケース１の外側に固定される選択部材１１を含み、該選択部材は、長軸部１１ａと短軸部１１ｂとを備えている。選択部材１１は、レバー部材１０と協働するように構成され、それによって長軸部１１ａがスリーブ状部１０ａ，１０ｂのいずれか一方の内部に位置するようになっている。錠ケース１は軸部１１ａ，１１ｂ用の穴１ａ，１ｂを有している。
【００１０】
図１及び図２の状態は、ソレノイド７が通電されていない場合であり、このため、ばね８が矢印方向に軸部材９を押圧している。これにより、レバー部材１０は、図１に示すように、スリーブ状部１０ａを介して選択部材１１の長軸部１１ａを中心として逆時計回り方向に旋回している。レバー部材１０は、この場合、磁石１４を備えており、該磁石が接続部材６を非接続位置へ引付け、それによって、操作軸３に取付けられたハンドルは、従動部材４との力伝達接続から外され、したがって、錠の舌との接続からも外される。所望とあれば、従動部材６は、磁石１４の代わりに、ばね力によって移動させてもよい。
ソレノイド７が電源に接続されると、相応に軸部材９が、ばね８の力に抗して移動し、それにより、レバー部材１０が時計回り方向に旋回し、接続部材６を接続位置へ押付ける。簡単化するため、図面には電源は示されていない。
【００１１】
図３及び図４には、ハンドル操作の制御を、選択部材１１の位置変更によって変更する仕方が示されている。この変更は、ねじ３を外し、選択部材１１を半回転させて、穴１ａ，１ｂ内の軸部１１ａ，１１ｂの位置を変更することで、簡単に行うことができる。この場合は、長軸部１１ａが、スリーブ状部１０ｂ内に位置せしめられる。その結果、図５に示す状態となり、ソレノイド７が通電されず、ばね８が軸部材９を矢印方向に押圧すると、レバー部材１０が、スリーブ状部１０ｂを介して矢印で示すように時計回り方向に旋回し、これにより同時に接続部材６を接続位置へ押付ける。これによって、操作軸３に取付けたハンドルは、従動部材４と力伝達接続され、錠の舌を操作することができる。この状態でソレノイド７が通電されると、各部材の運動方向が変わり、接続部材６は、磁石１４のため、非接続位置へ移動する。
本発明は、図示の実施例に限定されされるものではなく、特許請求の範囲内でいくつかの変更態様が考えられる。
【図面の簡単な説明】
【図１】
本発明によるドア錠用電磁装置の１実施例を、錠ケースを開けた状態で示す側面図。
【図２】
図１のＩＩ−ＩＩ線に沿って截断した拡大断面図。
【図３】
図２同様の断面図で、ハンドル操作形式の選択を図解した図。
【図４】
図２同様の断面図で、ハンドル操作形式の選択を図解した図。
【図５】
ハンドルの操作形式を変更後の、図２の実施例を示す図。
【国際公開パンフレット】
2004517238.tif 000003
2004517238.tif 000004
2004517238.tif 000005
2004517238.tif 000006
2004517238.tif 000007
2004517238.tif 000008
2004517238.tif 000009
2004517238.tif 000010
2004517238.tif 000011
2004517238.tif 000012
2004517238.tif 000013
2004517238.tif 000014
2004517238.tif 000015
2004517238.tif 000016
【国際公開パンフレット（コレクトバージョン）】
2004517238.tif 000017
2004517238.tif 000018
【国際調査報告】
2004517238.tif 000019
2004517238.tif 000020